(57)【要約】【課題】小型化を図りつつ、放電生成物を効率的に回収することができる画像形成装置を提供する。【解決手段】画像形成装置は、感光体の表面を帯電させる帯電極２００と、エアを吸引して、帯電極２００で発生する放電生成物を排出する吸引口３０１と、エアを吹き付ける吹付口（第１吹付口）３１１と、を有している。そして、吹付口３１１から吹き付けられるエアは、帯電極２００に沿ってこの帯電極２００の一方の端部側から他方の端部側へと流れ、吸引口３０１から吸引される。【選択図】図２
2020086000.tif 000002
【特許請求の範囲】
【請求項１】
感光体の軸方向に沿って設けられ、当該感光体の表面を帯電させる帯電極と、
エアを吸引して、前記帯電極で発生する放電生成物を排出する吸引口と、
エアを吹き付ける第１吹付口と、を有し、
前記第１吹付口から吹き付けられるエアは、
前記帯電極に沿って当該帯電極の一方の端部側から他方の端部側へと流れ、前記吸引口から吸引される
画像形成装置。
【請求項２】
前記吸引口は、前記帯電極の他方の端部側に設けられ、
前記第１吹付口は、前記帯電極の一方の端部側に設けられる
請求項１記載の画像形成装置。
【請求項３】
前記第１吹付口は、前記帯電極に対して斜めとなる向きでエアを吹き付ける
請求項２記載の画像形成装置。
【請求項４】
前記第１吹付口から吹き付けられるエアは、
前記帯電極へと向かう第１の流れと、
装置内の発熱部を冷却するために当該発熱部へと向かう第２の流れと、を含む
請求項１から３のいずれかに記載の画像形成装置。
【請求項５】
前記発熱部は、前記帯電極により帯電させられた前記感光体に光を走査するためのポリゴンモーターである
請求項４記載の画像形成装置。
【請求項６】
前記感光体を現像剤で現像する現像装置と、
前記帯電極の一方の端部側に設けられ、前記現像装置に対して冷却エアを吹き付ける第２吹付口と、をさらに有し、
前記第２吹付口から吹き付けられる冷却エアは、前記第１吹付口から吹き付けられるエアとともに前記帯電極の一方の端部側から他方の端部側へと流れ、前記吸引口から吸引される
請求項１から５のいずれかに記載の画像形成装置。
【請求項７】
前記吸引口の吸引風量が前記第１吹付口の吹付風量以上となるように、それぞれの開口面積及び風速の一方又は両方が設定されている
請求項１から６のいずれかに記載の画像形成装置。
【請求項８】
前記帯電極は、それぞれが異なる色の画像を形成する複数の画像形成ユニットにそれぞれ搭載されており、
前記第１吹付口は、
前記複数の画像形成部のうち、少なくとも一つの画像形成部に対応して設けられている
請求項１から７のいずれかに記載の画像形成装置。
【請求項９】
画像形成装置の運転条件に応じて、前記第１の流れと前記第２の流れとの割合が切り替わる
請求項４又は５記載の画像形成装置。
【請求項１０】
前記第１吹付口からエアを吹き付けるための送風部を有し、
前記送風部の風量制御により、前記第１の流れと前記第２の流れとの割合が切り替えられる
請求項９記載の画像形成装置。
【請求項１１】
前記第１の流れと前記第２の流れとの割合を切り替える切替ゲートを有し、
前記切替ゲートの制御により、前記第１の流れと前記第２の流れとの割合が切り替えられる
請求項９記載の画像形成装置。
【請求項１２】
ユーザーからの指示を受け付けた場合に、前記第１吹付口からエアの吹き付けを行う
請求項１から１１のいずれかに記載の画像形成装置。
【発明の詳細な説明】
【技術分野】
【０００１】
本発明は、画像形成装置に関する。
【背景技術】
【０００２】
電子写真プロセスを利用した画像形成装置においては、帯電装置により感光体の表面が帯電されており、画像データに基づくレーザー光が感光体の表面に照射（露光）されることにより静電潜像が形成される。感光体へ現像装置よりトナーが供給されることにより、静電潜像が可視化されてトナー像が形成される。そして、このトナー像は直接又は間接的に用紙に転写され、その後定着されることにより、用紙に画像が形成される。
【０００３】
帯電装置は、所定の電位に保持される帯電極を有しており、放電により感光体を帯電させる。この放電に伴い、帯電極の周囲に、オゾンや窒素酸化物等の放電生成物が生成される。放電生成物は画像不良の原因となることから、帯電極の周囲に吸引口を配置し、この吸引口よりエアを吸引して、帯電極で生成された放電生成物を回収する手法が知られている。
【０００４】
なお、例えば特許文献１には、オゾンからコロナ生成物が発生すると、感光体ドラムに悪影響を与えることから、軸流ファンからエアを取り込み、このエアをダクトを通してコロナ帯電器に吹き付ける構成が開示されている。特に、特許文献１では、感光体の軸方向に沿う帯電極の全域に対して均一にエアを吹き付ける構成を採用している。
【先行技術文献】
【特許文献】
【０００５】
【特許文献１】特開２００５−１２７１７２号公報
【発明の概要】
【発明が解決しようとする課題】
【０００６】
プロセス速度の増加にともない、帯電極に流す電流量が増加しているため、放電生成物の発生量も増加する傾向にある。このため、吸引口から離れた領域では、放電生成物が吸引されないという問題が生じている。
【０００７】
一方、特許文献１に開示された手法では、帯電極の全域にダクトの吹付口が臨む構成となっている。そのため、ダクトの配置のために大きなスペースが必要となり、画像形成装置の小型化が困難となる。
【０００８】
本発明はかかる事情に鑑みてなされたものであり、その目的は、小型化を図りつつ、放電生成物を効率的に回収することができる画像形成装置を提供することである。
【課題を解決するための手段】
【０００９】
かかる課題を解決するために、本発明は、感光体の軸方向に沿って設けられ、当該感光体の表面を帯電させる帯電極と、エアを吸引して、帯電極で発生する放電生成物を排出する吸引口と、エアを吹き付ける第１吹付口と、を有する画像形成装置を提供する。この画像形成装置において、第１吹付口から吹き付けられるエアは、帯電極に沿って当該帯電極の一方の端部側から他方の端部側へと流れ、吸引口から吸引される。
【００１０】
また、本発明において、吸引口は、帯電極の他方の端部側に設けられ、第１吹付口は、帯電極の一方の端部側に設けられることが好ましい。
【００１１】
また、本発明において、第１吹付口は、帯電極に対して斜め方向となる向きでエアを吹き付けることが好ましい。
【００１２】
また、本発明において、第１吹付口から吹き付けられるエアは、帯電極へと向かう第１の流れと、装置内の発熱部を冷却するための当該発熱部へと向かう第２の流れと、を含むことが好ましい。
【００１３】
また、本発明において、発熱部は、帯電極により帯電させられた感光体に光を走査するためのポリゴンモーターであることが好ましい。
【００１４】
また、本発明は、感光体を現像剤で現像する現像装置と、帯電極の一方の端部側に設けられ、現像装置に対して冷却エアを吹き付ける第２吹付口と、をさらに有することが好ましい。この場合、第２吹付口から吹き付けられる冷却エアは、第１吹付口から吹き付けられるエアとともに帯電極の一方の端部側から他方の端部側へと流れ、吸引口から吸引されることが好ましい。
【００１５】
また、本発明において、吸引口の吸引風量が第１吹付口の吹付風量以上となるように、それぞれの開口面積及び風速の一方又は両方が設定されていることが好ましい。
【００１６】
また、本発明において、帯電極は、それぞれが異なる色の画像を形成する複数の画像形成ユニットにそれぞれ搭載されている。この場合、第１吹付口は、複数の画像形成部のうち、少なくとも一つの画像形成部に対応して設けられていることが好ましい。
【００１７】
また、本発明は、画像形成装置の運転条件に応じて、第１の流れと第２の流れとの割合が切り替わることが好ましい。
【００１８】
また、本発明は、第１吹付口からエアを吹き付けるための送風部を有することが好ましい。この場合、送風部の風量制御により、第１の流れと第２の流れとの割合が切り替えられることが望ましい。
【００１９】
また、本発明は、第１の流れと第２の流れとの割合を切り替える切替ゲートを有することが好ましい。この場合、切替ゲートの制御により、第１の流れと第２の流れとの割合が切り替えられることが望ましい。
【００２０】
また、本発明は、ユーザーからの指示を受け付けた場合に、第１吹付口からエアの吹き付けを行うことが好ましい。
【発明の効果】
【００２１】
本発明の画像形成装置によれば、小型化を図りつつ、放電生成物を効率的に回収することができる。
【図面の簡単な説明】
【００２２】
【図１】本実施形態に係る画像形成装置を模式的に示す構成図
【図２】帯電装置及びその周囲の構成を模式的に示す説明図
【図３】図２に示すＡＡ断面を模式的に示す説明図
【図４】シールドケースと感光体ドラムとの関係を示す説明図
【図５】４つの画像形成部と放電生成物の回収の流れを示す説明図
【図６】第１の流れと第２の流れとの割合を切り替える切替ゲートの説明図
【図７】画像形成装置の運転条件に応じた、第１の流れと第２の流れとの割合を説明する図
【発明を実施するための形態】
【００２３】
（第１の実施形態）
図１は、本実施形態に係る画像形成装置を模式的に示す構成図である。本実施形態に係る画像形成装置は、例えば電子写真方式の画像形成装置であり、フルカラーの画像を形成する、いわゆるタンデム型カラー画像形成装置である。
【００２４】
画像形成装置は、原稿読取装置ＳＣ、４組の画像形成部１０Ｙ，１０Ｍ，１０Ｃ，１０Ｋ、用紙搬送部２０、定着装置５０及び制御部７０を主体に構成されている。
【００２５】
原稿読取装置ＳＣは、照明装置により原稿の画像を照明し、その反射光をラインイメージセンサーにより読み取ることで、画像信号を得る。この画像信号は、Ａ／Ｄ変換、シェーディング補正、圧縮等の処理が施された後、画像データとして制御部７０に入力される。なお、制御部７０に入力される画像データとしては、原稿読取装置ＳＣで読み取ったものに限らず、例えば、画像形成装置に接続されたパーソナルコンピューターや他の画像形成装置から受信したものや、ＵＳＢメモリといった可搬性の記録媒体から読み込んだものであってもよい。
【００２６】
画像形成部１０Ｙ，１０Ｍ，１０Ｃ，１０Ｋは、イエロー（Ｙ）の画像を形成する画像形成部１０Ｙ、マゼンタ（Ｍ）の画像を形成する画像形成部１０Ｍ、シアン（Ｃ）の画像を形成する画像形成部１０Ｃ及びブラック（Ｋ）の画像を形成する画像形成部１０Ｋから構成されている。４つの画像形成部１０Ｙ，１０Ｍ，１０Ｃ，１０Ｋは、無端ベルトである中間転写ベルト８に対面した状態で、中間転写ベルト８の移動方向（走行方向）に沿って上流側から下流側に並べられている。４つの画像形成部１０Ｙ，１０Ｍ，１０Ｃ，１０Ｋのうち、イエローの画像形成部１０Ｙが最も上流側に位置し、下流に向かってマゼンタの画像形成部１０Ｍ、シアンの画像形成部１０Ｃが順番に位置し、ブラックの画像形成部１０Ｋが最も下流側に位置する。
【００２７】
画像形成部１０Ｙは、感光体ドラム１Ｙ並びにその周辺に配置された帯電装置２Ｙ、光書込部３Ｙ、現像装置４Ｙ及びドラムクリーナー５Ｙで構成されている。感光体ドラム１Ｙは、帯電装置２Ｙによりその表面（感光面）が一様に帯電させられており、光書込部３Ｙによる走査露光により、感光体ドラム１Ｙには潜像が形成される。現像装置４Ｙは、トナーで現像することによって感光体ドラム１Ｙ上の潜像を顕像化する。これにより、感光体ドラム１Ｙ上には、イエローに対応する画像（トナー像）が形成される。感光体ドラム１Ｙ上に形成された画像は、１次転写ローラー７Ｙにより、中間転写ベルト８上の所定位置へと逐次転写される。
【００２８】
画像形成部１０Ｍ，１０Ｃ，１０Ｋは、感光体ドラム１Ｍ，１Ｃ，１Ｋ、並びにその周辺に配置された帯電装置２Ｍ，２Ｃ，２Ｋ、光書込部３Ｍ，３Ｃ，３Ｋ、現像装置４Ｍ，４Ｃ，４Ｋ及びドラムクリーナー５Ｍ，５Ｃ，５Ｋで構成されており、これらの詳細は、画像形成部１０Ｙのそれと同様である。
【００２９】
中間転写ベルト８は、２次転写対向ローラー、１次転写ローラー７Ｙ，７Ｍ，７Ｃ，７Ｋ、従動ローラーを含む複数のローラーに掛け渡されている。中間転写ベルト８上に転写された画像は、２次転写ローラー９により、用紙搬送部２０により所定のタイミングで搬送される用紙Ｐに転写される。２次転写ローラー９は、中間転写ベルト８を介して２次転写対向ローラーに圧接されている。
【００３０】
用紙搬送部２０は、用紙Ｐを搬送経路に沿って搬送する。用紙Ｐは用紙トレイ２１に収容されており、当該用紙トレイ２１に収容された用紙Ｐは、給紙部２２によって取り込まれ、搬送経路へと送り出される。搬送経路には、用紙Ｐを搬送する複数の搬送ローラーが設けられている。
【００３１】
定着装置５０は、転写された画像を用紙Ｐに定着させる定着処理を行う。定着装置５０は、互いに圧接して配置されることによりニップ（定着ニップ）を形成する一対の定着ローラー５１，５２と、画像が転写された面に対応する定着ローラー５２を加熱する加熱手段５３とを備えている。加熱手段５３としては、ハロゲンランプ等のヒーターを用いることができる。定着装置５０は、用紙Ｐを搬送するとともに、一対の定着ローラー５１，５２による圧力定着及び加熱手段５３による熱定着を行うことで、用紙Ｐに画像を定着させる。
【００３２】
定着処理が施された用紙Ｐは、定着ニップ下流側の搬送経路を経て、筐体側面に取り付けられた排紙トレイ３０に排出される。用紙Ｐの裏面にも画像形成を行う場合には、切替ゲート４５を切り替えることで、表面の画像形成を終えた用紙Ｐは、用紙Ｐを反転した上で搬送経路の上流側まで搬送する反転搬送経路へと送り出される。
【００３３】
操作パネル６０は、ディスプレイ上に表示される情報に従い入力操作を行うことが可能なタッチパネル方式の入力部である。ユーザーは、操作パネル６０に対する操作を通じて、印刷ジョブに関する設定、例えば用紙Ｐに関する情報（紙種等）、画像の濃度や倍率等を設定することができる。設定された情報は、制御部７０に取得される。また、操作パネル６０は、制御部７０に制御されることにより、当該操作パネル６０を介してユーザーに種々の情報を表示する。
【００３４】
制御部７０は、画像形成装置に関する制御を行う。制御部７０としては、ＣＰＵ、ＲＯＭ、ＲＡＭ、Ｉ／Ｏインターフェースを主体に構成されたマイクロコンピュータを用いることができる。ＣＰＵは、各種プログラムを実行する（プロセッサー）。ＲＯＭは、ＣＰＵが実行する各種プログラムを、当該ＣＰＵが読み取り可能なプログラムコードの形態で格納する。また、ＲＯＭは、プログラムの実行に必要となるデータを記憶する。ＲＡＭは、作業用の記憶領域となるメモリである。ＲＯＭに格納されたプログラム及びデータは、ＣＰＵにより読み出されると、ＲＡＭ上に展開される。そして、ＣＰＵは、ＲＡＭ上に展開したプログラム及びデータに基づいて、各種の処理を行う。
【００３５】
図２は、帯電装置２及びその周囲の構成を模式的に示す説明図である。また、図３は、図２に示すＡＡ断面を模式的に示す説明図である。以下の説明において、帯電装置２は、４組の画像形成部１０Ｙ，１０Ｍ，１０Ｃ，１０Ｋが備える帯電装置２Ｙ，２Ｍ，２Ｃ，２Ｋを代表的に表している。また、感光体ドラム１は、４組の画像形成部１０Ｙ，１０Ｍ，１０Ｃ，１０Ｋが備える感光体ドラム１Ｙ，１Ｍ，１Ｃ，１Ｋを代表的に表している。同様に、現像装置４は、４組の画像形成部１０Ｙ，１０Ｍ，１０Ｃ，１０Ｋが備える現像装置４Ｙ，４Ｍ，４Ｃ，４Ｋを代表的に表している。
【００３６】
帯電装置２は、帯電極２００と、シールドケース２１０とを主体に構成されている。
【００３７】
帯電極２００は、所定の電圧が印加されて感光体ドラム１の感光面にコロナ放電を行う。プロセス速度の高速化に対応するため、本実施形態の帯電装置２は、帯電極２００を２本備える構成となっている。
【００３８】
シールドケース２１０は、ステンレス等の導電性材料からなり、例えば略直方体の箱体である。このシールドケース２１０は、その長手方向が感光体ドラム１の軸方向に沿った状態で配置されている。シールドケース２１０は、画像形成装置に対して着脱可能に取り付けられており、帯電装置２全体を交換することが可能となっている。
【００３９】
シールドケース２１０の内部には、２つの帯電極２００が張架した状態で支持されている。具体的には、帯電極２００の両端は、シールドケース２１０にそれぞれ取り付けられる。個々の帯電極２００は、感光体ドラム１の軸方向に沿うように設けられ、２つの帯電極２００は、所定の距離だけ離れて配置されている。各帯電極２００は、例えばタングステンを材料とするワイヤーから構成され、表面には金めっきが施されている。
【００４０】
シールドケース２１０において、感光体ドラム１の感光面に臨む正面部２１０ａのほぼ全域は開口され、帯電開口２１１が形成されている。
【００４１】
帯電開口２１１には、帯電極２００のコロナ放電を感光体ドラム１の感光面に対して均一に行うためのグリッド（図示せず）が、その全体を覆うように設けられている。グリッドは、板状又はシート状に形成されている。グリッドは、導電性を備える部材、例えばステンレスから形成されており、レーザー加工又はエッチング加工がそのほぼ全域に施されることにより、メッシュ構造とされている。
【００４２】
図４は、シールドケース２１０と感光体ドラム１との関係を示す説明図である。シールドケース２１０の背面部２１０ｂには、感光体ドラム１の軸方向に沿って横長となるスリット２１２が設けられている。このスリット２１２を介してエアが背面部２１０ｂを通り抜けることにより、帯電極２００の放電により発生するオゾン等の放電生成物が、帯電極２００の周囲に滞留することなく、回収される。
【００４３】
帯電極２００の周囲には、吸引ダクト３００及び吹付ダクト３１０が設けられている。
【００４４】
吸引ダクト３００は、吸引口３０１と、吸引ダクト本体３０２とを主体に構成されている。吸引口３０１は、帯電極２００で発生する放電生成物を排出するために、エアを吸引する。吸引口３０１は、吸引ダクト本体３０２の端部に位置している。吸引ダクト本体３０２は、吸引口３０１から吸引されたエアを下流側へと導く流路を構成する。吸引ダクト本体３０２の下流には、吸引口３０１からエアを吸引するための吸引ファン（図示せず）、エアによって回収されたオゾンを分離する分離機（図示せず）、分離されたオゾンを分解する活性炭フィルタ（図示せず）が設けられている。
【００４５】
吹付ダクト３１０は、吹付口３１１と、吹付ダクト本体３１２とを主体に構成されている。吹付口３１１は、対象物に向かってエアを吹き付ける。吹付口３１１は、吹付ダクト本体３１２の端部に位置している。吹付ダクト本体３１２は、吹付口３１１から吹き付けられるエアを導くものである。吹付ダクト本体３１２の上流には、吹付口３１１からエアを吹き付けるため送風ファンが設けられている。
【００４６】
吹付口３１１は、ポリゴンモーター（図示せず）を冷却する機能を担っており、吹付口３１１から吹き付けられるエアは、ポリゴンモーター（図示せず）へと導かれる。ここで、ポリゴンモーターは、帯電極２００により帯電させられた感光体ドラム１に光を走査するために、ポリゴンミラー（図示せず）を回転駆動するモーターである。
【００４７】
また、この吹付ダクト３１０は、放電生成物を回収する機能も担っており、吹付口３１１から吹き付けられるエアは、放電生成物を回収するために、帯電極２００へと導かれる。すなわち、吹付口３１１から吹き付けられるエアは、帯電極２００へと向かう第１の流れ（図中白抜きで示す矢印）と、ポリゴンモーターを冷却するために当該ポリゴンモーターへと向かう第２の流れ（図中黒抜きで示す矢印）とを含んでいる。吹付ダクト本体３１２の内部には、吹付ダクト本体３１２の内部を流れるエアを第１の流れと第２の流れとに分流するためのガイド部材３１２ａが設けられている。
【００４８】
本実施形態において、吹付口３１１は、帯電極２００の一方の端部側、例えば、装置手前側に位置する端部側に設けられている。また、吹付口３１１は、帯電極２００に向かう第１の流れが、帯電極２００に対して斜めとなるように構成されている。これに対して、吸引口３０１は、帯電極２００の他方の端部側、例えば、装置奥側に位置する端部側に設けられている。
【００４９】
吸引口３０１及び吹付口３１１のレイアウトにより、吹付口３１１から吹き付けられるエア（第１の流れ）は、帯電極２００に沿ってその一方（装置手前）の端部側から他方（装置奥）の端部側にかけて流れ、吸引口３０１から吸引される。これにより、装置奥側の吸引のみならず、装置手前側からエアを吹き付けることで、帯電極２００に滞留する放電生成物を適切に回収することができる。
【００５０】
また、シールドケース２１０の背面部２１０ｂには、スリット２１２が設けられている。このため、吹付口３１１から吹き付けられ、帯電極２００に沿って流れるエアは、シールドケース２１０を超えて感光体ドラム１の表面まで到達し、そこから向きを変えて、シールドケース２１０の帯電開口２１１へと向かい、シールドケース２１０の内部を通り、スリット２１２を介してシールドケース２１０の外部へと向かう。これにより、帯電極２００に滞留する放電生成物を適切に回収することができる。
【００５１】
また、吸引口３０１の吸引風量が吹付口３１１の吹付風量以上となるように、それぞれの開口面積及び風速の一方又は両方が設定されている。吸引口３０１の吸引風量が吹付口３１１の吹付風量以上となることで、吹付口３１１から吹き付けられたエア（第１の流れ）は装置内で滞留することなく吹付口３１１から吸引される。これにより、放電生成物を効率的に回収することができる。
【００５２】
図５は、４つの画像形成部１０Ｙ，１０Ｍ，１０Ｃ，１０Ｋと、放電生成物の回収の流れを示す説明図である。４つの画像形成部１０Ｙ，１０Ｍ，１０Ｃ，１０Ｋには、吸引ダクト３００Ｙ，３００Ｍ，３００Ｃ，３００Ｋ、吹付ダクト３１０Ｙ，３１０Ｍ，３１０Ｃ，３１０Ｋがそれぞれ設けられている。４つの吸引ダクト３００Ｙ，３００Ｍ，３００Ｃ，３００Ｋ及び吹付ダクト３１０Ｙ，３１０Ｍ，３１０Ｃ，３１０Ｋは、上述した吸引ダクト３００及び吹付ダクト３１０と対応している。４つの吸引ダクト３００Ｙ，３００Ｍ，３００Ｃ，３００Ｋは、その下流側で合流しており、吸引ファン等を共有する構成となっている。
【００５３】
このように、画像形成部１０Ｙ，１０Ｍ，１０Ｃ，１０Ｋのそれぞれに吸引ダクト３００Ｙ，３００Ｍ，３００Ｃ，３００Ｋ（吸引口３０１）及び吹付ダクト３１０Ｙ，３１０Ｍ，３１０Ｃ，３１０Ｋ（吹付口３１１）を設けることで、それぞれの帯電装置２Ｙ，２Ｍ，２Ｃ，２Ｋ（帯電極２００）において生成される帯電生成物を適切に回収することができる。
【００５４】
また、画像形成装置は、４つの現像装置４Ｙ，４Ｍ，４Ｃ，４Ｋを冷却するための冷却用ダクト４００，４１０，４２０，４３０を備えている。これらの冷却用ダクト４００，４１０，４２０，４３０は、いずれも装置手前側に設けられている。
【００５５】
ＹＭ冷却用ダクト４００は、イエロー及びマゼンタの現像装置４Ｙ，４Ｍを冷却するものであり、各現像装置４Ｙ，４Ｍの中間に位置している。ＭＣ冷却用ダクト４１０は、マゼンタ及びシアンの現像装置４Ｍ，４Ｃを冷却するものであり、各現像装置４Ｍ，４Ｃの中間に位置している。ＣＫ冷却用ダクト４２０は、シアン及びブラックの現像装置４Ｃ，４Ｋを冷却するものであり、各現像装置４Ｃ，４Ｋの中間に位置している。
【００５６】
また、４つの画像形成部１０Ｙ，１０Ｍ，１０Ｃ，１０Ｋが上下方向にかけて配列されている関係上、最も上方に位置するイエローの画像形成部１０Ｙは温度が高くなる傾向がある。そのため、イエローの現像装置４Ｙには、Ｙ冷却用ダクト４３０が設けられている。Ｙ冷却用ダクト４３０は、イエローの現像装置４Ｙを冷却するものであり、イエローの現像装置４Ｙの上方に位置している。
【００５７】
これらの冷却用ダクト４００，４１０，４２０，４３０には、図示しない冷却用吹付口が設けられており、それぞれの冷却用吹付口よりエア（冷却エア）が吹き付けられる。冷却用吹付口より吹き付けられるエアは、対象となる現像装置４Ｙ，４Ｍ，４Ｃ，４Ｋへと流れ、当該現像装置４Ｙ，４Ｍ，４Ｃ，４Ｋを冷却する。この場合、ＹＭ冷却用ダクト４００からの風量を「Ｑａ」、ＭＣ冷却用ダクト４１０からの風量を「Ｑｂ」、ＣＫ冷却用ダクト４２０からの風量を「Ｑｃ」とした場合、Ｑａ＜Ｑｂ≦Ｑｃとなる関係が成立している。これは、ブラックのみで印刷を行う状況があるからである。
【００５８】
また、冷却用ダクト４００，４１０，４２０，４３０の冷却用吹付口より吹き付けられるエアは、それぞれの現像装置４Ｙ，４Ｍ，４Ｃ，４Ｋを冷却しつつ、装置手前側から装置奥側へと流れている。このエアの流れにより、帯電極２００に沿ってその一方の端部側から他方の端部側へとエアが追加的に流れる。これにより、放電生成物が吸引ダクト３００Ｙ，３００Ｍ，３００Ｃ，３００Ｋ（吸引口３０１）へと効果的に運ばれることとなる。その結果、装置奥側の吸引のみならず、装置手前側からのエアの吹き付けにより、帯電極２００に滞留する放電生成物を適切に回収することができる。
【００５９】
なお、４つの吸引ダクト３００Ｙ，３００Ｍ，３００Ｃ，３００Ｋのうち、上側に位置するイエローの吸引ダクト３００Ｙは、ファン静圧の影響により、吸引風量が弱くなる。そこで、イエローに対応する画像形成部１０Ｙでは、ＹＭ冷却用ダクト４００に加え、Ｙ冷却用ダクト４３０のエアを利用することで、放電生成物の吸引を効果的にアシストすることができる。
【００６０】
４つの画像形成部１０Ｙ，１０Ｍ，１０Ｃ，１０Ｋの場合であっても、吸引ダクト３００Ｙ，３００Ｍ，３００Ｃ，３００Ｋ（吸引口３０１）の吸引風量が、吹付ダクト３１０Ｙ，３１０Ｍ，３１０Ｃ，３１０Ｋ（吹付口３１１）に冷却用ダクト４００，４１０，４２０，４３０を加えた吹付風量以上となるように、それぞれの開口面積及び風速の一方又は両方が設定されている。
【００６１】
このように本実施形態において、画像形成装置は、感光体ドラム１の表面を帯電させる帯電極２００と、エアを吸引して、帯電極２００で発生する放電生成物を排出する吸引口３０１と、エアを吹き付ける吹付口（第１吹付口）３１１と、を有している。そして、吹付口３１１から吹き付けられるエアは、帯電極２００に沿ってこの帯電極２００の一方の端部側から他方の端部側へと流れ、吸引口３０１から吸引されている。
【００６２】
この構成によれば、帯電極２００の他方の端部側（装置奥側）でエアを吸引するだけでなく、帯電極２００の一方の端部側（装置手前側）からエアが吹き付けられ、吸引口３０１で吸引される。これにより、帯電極２００に滞留する放電生成物を適切に回収することができる。また、この構成によれば、帯電極２００の全域に吹付口３１１を臨ませる必要がないので、装置の小型化を図ることができる。
【００６３】
また、本実施形態において、吸引口３０１は、帯電極２００の他方の端部側に設けられ、吹付口３１１は、帯電極２００の一方の端部側に設けられている。
【００６４】
この構成によれば、吹付口３１１から吹き付けられるエアが、帯電極２００に沿ってその一方の端部側から他方の端部側にかけて流れ、吸引口３０１へと適切に導かれる。これにより、放電生成物を効率的に回収することができる。また、帯電極２００の両側に吸引口３０１及び吹付口３１１が配置されるので、吸引ダクト３００及び吹付ダクト３１０の配置を小さなスペースで行うことができる。これにより、画像形成装置の小型化を図ることができる。
【００６５】
また、本実施形態において、吹付口３１１は、帯電極２００に対して斜め方向となる向きでエアを吹き付けている。
【００６６】
この構成によれば、吹付口３１１から帯電極２００に沿うようにエアが吹き付けられるので、帯電極２００で生成された放電生成物を吸引口３０１へと効果的に運ぶことができる。
【００６７】
また、本実施形態において、吹付口３１１から吹き付けられるエアは、帯電極２００へと向かう第１の流れと、装置内の発熱部を冷却するため当該発熱部へと向かう第２の流れと、を含んでいる。
【００６８】
この構成によれば、放電生成物を回収するためのエアと、発熱部を冷却するためのエアとを１つの吹付口３１１から吹き付けることができる。その結果、吹付ダクト３１０を共用することができるので、それぞれの流れに対応する専用のダクトを用意する必要がない。これにより、画像形成装置の小型化を図ることができる。
【００６９】
本実施形態において、前述の発熱部は、帯電極２００により帯電させられた感光体ドラム１に光を走査するためのポリゴンモーターであるが、これに限らず、他の発熱部を冷却するためのエアを、放電生成物を回収するために共用することができる。
【００７０】
また、本実施形態の画像形成装置は、帯電極２００の一方の端部側に設けられ、現像装置４に対して冷却エアを吹き付ける冷却用吹付口をさらに有している。この冷却用吹付口から吹き付けられる冷却エアは、吹付口３１１から吹き付けられるエアとともに帯電極２００の一方の端部側から他方の端部側へと流れ、吸引口３０１から吸引される。
【００７１】
この構成によれば、吹付ダクト３１０Ｙ，３１０Ｍ，３１０Ｃ，３１０Ｋからのエアを、現像装置４Ｙ，４Ｍ，４Ｃ，４Ｋを冷却するためのエアでアシストすることができる。これにより、帯電極２００に滞留する放電生成物をより効果的に回収することができる。
【００７２】
また、本実施形態において、吸引口３０１の吸引風量が吹付口３１１の吹付風量以上となるように、それぞれの開口面積及び風速の一方又は両方が設定されている。
【００７３】
この構成によれば、吹付口３１１から吹き付けられたエアは、滞留することなく、吸引口３０１から吸引される。これにより、帯電極２００に滞留する放電生成物を適切に回収することができる。
【００７４】
（第２の実施形態）
以下、第２の実施形態に係る画像形成装置について説明する。この第２の実施形態に係る画像形成装置が、第１の実施形態のそれと相違する点は、吹付口３１１から吹き付けられるエアの流れについてであり、具体的には、第１の流れと第２の流れとの割合を切り替えることにある。第１の実施形態と重複する内容については説明を省略することとし、以下、相違点を中心に説明を行う。
【００７５】
本実施形態では、吹付口３１１から吹き付けられるエアのうち、第１の流れと第２の流れとの割合を切り替えることができる。第１の流れと第２の流れとの割合を切り替える手法としては、例えば以下に示す手法が考えられる。
【００７６】
第１の手法は、第１の流れと第２の流れとに対応した送風ファンをそれぞれ用意することである。この方法では、各送風ファンの風量制御により、第１の流れと第２の流れとの割合を切り替えることができる。各送風ファンの風量制御は、制御部７０によって行われる。
【００７７】
第２の手法は、図６に示すように、吹付ダクト３１０の内部に可動式の切替ゲート３１３を設けることである。この切替ゲート３１３を動作させることで、吹付ダクト３１０内での流路の割合が切り替わる。この方法では、切替ゲート３１３の制御により、第１の流れと第２の流れとの割合を切り替えることができる。切替ゲート３１３の制御は、制御部７０によって行われる。
【００７８】
本実施形態において、第１の流れと第２の流れとの割合は、画像形成装置の運転条件に応じて切り替えることができる。図７は、第１の流れと第２の流れとの割合を説明する図である。同図において、「×」は吹付／吸引が不要であることを意味し、「◎」は、吹付／吸引が必要であることを意味する。また、「○」は、吹付／吸引があれば望ましいことを意味する。
【００７９】
ウォーミングアップ（ＷＵ）中においては、ポリゴンモーターの冷却は不要であることから、第２の流れに対応する吹付エアは「×」となる。一方、帯電極２００の負荷も小さく、オゾンの発生は少ないが、帯電極２００の周囲にオゾンが残留している可能性があるため、第１の流れに対応する吹付エア、及び、吸引口３０１の吸引エアはそれぞれ「◎」となる。
【００８０】
印刷中においては、ポリゴンモーターの駆動にともない、その冷却が必要となる。また、帯電極２００においてオゾンが発生する状況ではあるが、感光体ドラム１も回転しているので、感光体ドラム１への付着は生じにくい。そのため、第２の流れに対応する吹付エアは「◎」となり、第１の流れに対応する吹付エア、及び、吸引口３０１の吸引エアは「○」となる。
【００８１】
一方、印刷終了後においては、ポリゴンモーターの駆動も停止されるので、冷却の必要性は低い。一方で、感光体ドラム１も停止し、帯電極２００において発生したオゾンが付着し易い状況となる。そこで、第２の流れに対応する吹付エアは「○」となり、第１の流れに対応する吹付エア、及び、吸引口３０１の吸引エアは「◎」となる。
【００８２】
また、印刷を停止して画像調整動作を行う場合、ポリゴンモーターの冷却は不要であることから、第２の流れに対応する吹付エアは「×」となる。一方、帯電極２００において発生したオゾンを回収する必要があるから、第１の流れに対応する吹付エアは「◎」となる。一方、吸引口３０１の吸引エアについては、印刷再開後に吸引エアが再開されることを考慮すれば、必要性は高くないので、画像調整中は「○」となる。
【００８３】
感光体ドラム１の表面を清掃するクリーニング動作中については、画像調整動作と同様の考えで、第１の流れと第２の流れとの割合を考えることができる。
【００８４】
このように本実施形態によれば、画像形成装置の運転条件に応じて、第１の流れと第２の流れとの割合を切り替えることができる。
【００８５】
この構成によれば、放電生成物の回収と、ポリゴンモーターの冷却とをバランスよく実現することができる。
【００８６】
なお、本実施形態では、画像形成装置の運転条件に応じて、第１の流れと第２の流れとの割合を切り替える方法について説明した。しかしながら、画像不良が発生した場合に、ユーザーの指示に応じて、吹付口３１１からエアの吹き付けを行うようにしてもよい。
【００８７】
また、上述した各実施形態では、４つの画像形成部１０Ｙ，１０Ｍ，１０Ｃ，１０Ｋに対応して、吹付口３１１をそれぞれ設けている。しかしながら、吹付口３１１は、４つの画像形成部１０Ｙ，１０Ｍ，１０Ｃ，１０Ｋのいずれか一つ以上に対応して設ければよい。
【００８８】
また、本実施形態では、ポリゴンモーターを冷却する吹付ダクト３１０によって、放電生成物を回収するための吹付口３１１を構成したが、現像装置４を冷却する冷却用ダクト４００，４１０，４２０，４３０によって吹付口を構成してもよい。この場合、ポリゴンモーターを冷却する吹付ダクト３１０から、放電生成物を回収するエアを追加的に吹き出してもよい。
【００８９】
以上、本発明の実施形態に係る画像形成装置について説明したが、本発明は上述した実施形態に限定されることなく、その発明の範囲内において種々の変形が可能であることはいうまでもない。
【符号の説明】
【００９０】
１０Ｙ，１０Ｍ，１０Ｃ，１０Ｋ      画像形成部
１（１Ｙ，１Ｍ，１Ｃ，１Ｋ）        感光体ドラム
２（２Ｙ，２Ｍ，２Ｃ，２Ｋ）        帯電装置
３Ｙ，３Ｍ，３Ｃ，３Ｋ              光書込部
４（４Ｙ，４Ｍ，４Ｃ，４Ｋ）        現像装置
５Ｙ，５Ｍ，５Ｃ，５Ｋ              ドラムクリーナー
７Ｙ，７Ｍ，７Ｃ，７Ｋ              １次転写ローラー
８        中間転写ベルト
９        ２次転写ローラー
２０        用紙搬送部
２１        用紙トレイ
２２        給紙部
３０        排紙トレイ
４５        切替ゲート
５０        定着装置
５１        定着ローラー
５２        定着ローラー
５３        加熱手段
６０        操作パネル
７０        制御部
ＳＣ        原稿読取装置
２００        帯電極
２１０        シールドケース
２１０ａ      正面部
２１０ｂ      背面部
２１１        帯電開口
２１２        スリット
３００（３００Ｙ，３００Ｍ，３００Ｃ，３００Ｋ）        吸引ダクト
３０１        吸引口
３０２        吸引ダクト本体
３１０（３１０Ｙ，３１０Ｍ，３１０Ｃ，３１０Ｋ）        吹付ダクト
３１１        吹付口
３１２        吹付ダクト本体
３１２ａ      ガイド部材
３１３        切替ゲート
４００        ＹＭ冷却用ダクト
４１０        ＭＣ冷却用ダクト
４２０        ＣＫ冷却用ダクト
４３０        Ｙ冷却用ダクト
【図１】
2020086000.tif 000003
【図２】
2020086000.tif 000004
【図３】
2020086000.tif 000005
【図４】
2020086000.tif 000006
【図５】
2020086000.tif 000007
【図６】
2020086000.tif 000008
【図７】
2020086000.tif 000009